(57)【要約】      （修正有）【課題】端子カバーを小型化することを可能にした電子機器を提供すること。【解決手段】コネクタ装置３の端子穴３ａを覆って保護する端子カバー２であって、前記コネクタ装置を保持する筐体カバー４に対して回動可能な状態で取り付けられ、前記端子穴を覆うベース面２ｃと、弾性部材からなり、前記ベース面に突出形成されたヒンジ２ｅであって、ヒンジにはリブ２ｆが突出形成され、上記リブは、前記端子カバーが前記端子穴を開口した状態（開状態）では筐体カバーの穴部の内周面と弾性力により当節し、前記端子カバーが前記端子穴部を覆った状態（閉状態）では筐体カバーの穴部の内周と隙間を生じるように構成され、前記端子カバーには、端子カバーを開ける動作時に指を掛ける切り欠き２ａが形成されており、開状態では、前記切り欠きが前記端子穴に挿入されるプラグ９の外形を避けた位置となることが可能であることを特徴とする構成とした。【選択図】図１
2015028871.tif 000002
【特許請求の範囲】
【請求項１】
コネクタ装置３の端子穴３ａを覆って保護する端子カバー２であって、
前記コネクタ装置３を保持する筐体カバー４に対して回動可能な状態で取り付けられ、前記端子穴３ａを覆うベース面２ｃと
弾性部材からなり、前記ベース面２ｃに突出形成されたヒンジ２ｅであって、ヒンジ２ｅにはリブ２ｆが突出形成され、
上記リブ２ｆは、前記端子カバー２が前記端子穴３ａを開口した状態（開状態）では筐体カバー４の穴部の内周面と弾性力により当節し、
前記端子カバー２が前記端子穴３ａ部を覆った状態（閉状態）では筐体カバー４の穴部の内周と隙間を生じるように構成され、
前記端子カバー２には、端子カバー２を開ける動作時に指を掛ける切り欠き２ａが形成されており、
前記端子カバー２が前記端子穴３ａを開口した状態（開状態）では、前記切り欠き２ａが前記端子穴３ａに挿入されるプラグ９の外形を避けた位置となることが可能である電子機器。
【請求項２】
前記端子カバー２であって、前記ベース面２ｃのヒンジ２ｅは、前記端子穴３ａの外形より小さいことを特徴とする請求項1に記載の電子機器。
【請求項３】
前記端子カバー２の切り欠き2aが、前記ベース面２ｃのヒンジ２ｅの近傍に配設されていることを特徴とする請求項１又は請求項２に記載の電子機器。
【発明の詳細な説明】
【技術分野】
【０００１】
本発明は、コネクタ装置の端子形成部に形成された端子穴を覆って保護する端子カバー、及び、当該端子カバーと端子穴とを備えたコネクタ装置を具備した電子機器に関するものである。
【背景技術】
【０００２】
現在、多くの電子機器には、他の電子機器と信号送受を行う信号線を接続する為に信号線の端子（オス側端子、プラグ）が挿入されるコネクタ装置が具備されている。上記コネクタ装置には、信号線の端子が挿入される端子穴（メス側端子）が形成されている。
【０００３】
例えば、特許文献１では、端子穴を埃などから保護するために端子カバーが開示されている。端子カバーは、電子機器に対して摺動可能な状態で端子カバーのヒンジを介して電子機器に配設されている。さらに端子カバーには、端子カバーを開ける動作の為に指掛かりの形状が設けられている。
【先行技術文献】
【特許文献】
【０００４】
【特許文献１】特許第4361940号
【発明の概要】
【発明が解決しようとする課題】
【０００５】
しかしながら、上述の特許文献１に開示された従来技術では、端子カバーを開けた状態においてプラグと干渉しないように端子カバーが形成されている。また、端子カバーには指掛かりも形成されている。すなわち端子カバーが大型化してしまっていた。
【０００６】
そこで、本発明の目的は、端子カバーを小型化することを可能にした電子機器を提供することである。
【課題を解決するための手段】
【０００７】
上記目的を達成するために、本発明は、コネクタ装置３の端子穴３ａを覆って保護する端子カバー２であって、
前記コネクタ装置３を保持する筐体カバー４に対して回動可能な状態で取り付けられ、前記端子穴３ａを覆うベース面２ｃと
弾性部材からなり、前記ベース面２ｃに突出形成されたヒンジ２ｅであって、ヒンジ２ｅにはリブ２ｆが突出形成され、
上記リブ２ｆは、前記端子カバー２が前記端子穴３ａを開口した状態（開状態）では筐体カバー４の穴部の内周面と弾性力により当節し、
前記端子カバー２が前記端子穴３ａ部を覆った状態（閉状態）では筐体カバー４の穴部の内周と隙間を生じるように構成され、
前記端子カバー２には、端子カバー２を開ける動作時に指を掛ける切り欠き２ａが形成されており、
前記端子カバー２が前記端子穴３ａを開口した状態（開状態）では、前記切り欠き２ａが前記端子穴３ａに挿入されるプラグ９の外形を避けた位置となることが可能であることを特徴とする。
【発明の効果】
【０００８】
本発明によれば端子カバーの切り欠きが端子カバーを開ける動作の指掛かり部として機能し、端子カバーを開けた状態では端子に挿入されるプラグの外形を避ける構成から端子カバーを小型化することが可能となり、従って本体全体を小型化した電子機器を提供することができる。
【図面の簡単な説明】
【０００９】
【図１】プラグが挿入された外観図
【図２】デジタルカメラの外観斜視図
【図３】端子カバーが開状態の外観図
【図４】端子カバー取り付け部の分解斜視図
【図５】端子カバー閉状態の断面図（図２のＡ―Ａ断面）
【図６】端子カバー開状態の断面図（図３のＢ―Ｂ断面）
【発明を実施するための形態】
【００１０】
以下に、本発明の好ましい実施の形態を、添付の図面に基づいて詳細に説明する。図１は、本発明の実施形態にかかわるプラグが挿入された外観図である。
【００１１】
［実施例１］
以下、図1〜6を参照して、本発明の第1の実施例による電子機器について説明する。電子機器の一つの例としてデジタルカメラを用いて説明する。図2は、デジタルカメラの外観斜視図である。図3は、端子カバーが開状態の外観図である。図2に示す１は、デジタルカメラ本体、２は端子カバーである。端子カバー２の外形に対して切り欠き２ａが配設されている。この切り欠き2aは、端子カバーを開ける動作時に指掛かりになる。
【００１２】
図３に示す３は、他の電子機器と電気信号をやりとりするコネクタ装置、４は、カメラ本体1のコネクタ装置３の保持する筐体カバーである。デジタルカメラ本体１を左手で把持する側に他の電子機器との電気信号をやりとりするコネクタ端子3を配設する。これは、デジタルカメラ撮影では図示しないレリーズボタンを右手で動作させるために、他の機器との信号のやりとりをするコネクタ装置３は左手側に配置した方が使い勝手が良い。また、コネクタ装置３には端子穴３ａが形成されており、この端子穴３ａの中には電子信号をやりとりする端子３ｂが構成されている。
【００１３】
コネクタ装置３は、筐体カバー４の穴部４ａから露出する状態で保持固定されている。図４は、端子カバー取り付け部の分解斜視図である。端子カバー２は、樹脂材料からなるカバー２ｂと弾性部材からなるベース面２ｃからの2色成型で形成されている。端子カバー２においては、ベース面２ｃから突出形成される爪部２ｄ、ヒンジ２ｅ、ヒンジ２ｅ上に凸状態で形成されるリブ２ｆ、係止部２ｇが構成されている。ヒンジ２ｅの断面形状は、ベース面2c近傍では円形状をしており、係止部２ｇ近傍ではリブ２ｆが突出した形状となるように構成されている。
【００１４】
筐体カバー４においては、コネクタ装置３と係合する穴部４ａ、端子カバー２の爪部２ｄと係合する凹部４ｃ、端子カバー２のヒンジ２ｅが回動する円弧４ｂが形成されている。５は、端子カバー２のヒンジ２ｅと勘合し係止部２ｇのストッパーとなる抜け防止部材である。抜け防止部材５には、端子カバー２のヒンジ２ｅが回動する円弧5aが形成されている。抜け防止部材５は、ビス６によって筐体カバー４に固定される。上記のように抜け防止部材５が筐体カバー４に固定されると筐体カバー４の円弧４ｂと抜け防止部材５の円弧５ａが対向する様に固定され、円弧４ｂと円弧５ａが一対の円状の穴を形成する。この円状の穴に対して端子カバー２のヒンジ２ｅが回動可能な状態で保持される。
【００１５】
７は、図示しないICや電気部品が実装されている基板である。コネクタ装置３は、基板７に半田実装されて固定されている。８は、シャッターユニットである。また、ヒンジ２ｅと係止部２ｄは、シャッターユニット８と基板７に挟まれる位置で配設され、ヒンジ２ｅと係止部２ｄの外形は、コネクタ装置３の高さ方向の外形と同等以下になるように構成されている。こうすることで、シャッターユニット８と基板７を可能な限り近づけることが可能となりデジタルカメラ本体１を小型化することが可能となる。
【００１６】
図5は、端子カバー閉状態の断面図である。（図２のＡ-Ａ断面）端子カバー２がカメラ本体１に対して閉状態について説明する。端子カバー２の爪部２ｄが筐体カバー4の凹部４ｃと係合する。また、端子カバー２のベース面２ｃ近傍の円断面のヒンジ２ｅの径方向の外形寸法は筐体カバー４の円弧４ｂと抜け防止部材５の円弧５ａが形成する円形状の穴径寸法より小さいように構成される。従って、端子カバー２の閉状態では、ヒンジ２ｅには負荷がなく摩擦力は発生しない。
【００１７】
従って、端子カバー２の爪部２ｄが筐体カバー４の凹部４ｃと係合することで、端子カバー２は、筐体カバー４に対して保持される。この様に構成することで、ヒンジ２ｅに対して閉状態では負荷が発生していないので端子カバー２が筐体カバー４に対して閉まりきらずに端子カバー２が浮いたりすることは発生しない構成である。また、閉状態ではヒンジ２ｅに負荷が無い状態であるので、ヒンジ２ｅの近傍に指掛かりである切り欠き２ａを配置しても開ける動作に対しても開けにくいことにはならない。これは、指掛かりである切り欠き２ａは爪部２ｂから遠い位置にあるので、爪部２ｂを筐体カバー４の凹部４ｃから引きはがす際にテコとして機能する。
【００１８】
従って、引きはがし力は少ない力で端子カバー２の開動作が可能である。つまり、ヒンジ２ｅの近傍に指掛かりである切り欠き２ａを設けることで端子カバー２を小型化することが可能となる。こうすることで、端子カバー２も小型化が可能であるのでデジタルカメラ本体１の外形を小型化かすることが可能となる。図６は、端子カバー開状態の断面図（図３のＢ-Ｂ断面）である。図６を用いて、端子カバー２が開状態での構成について説明する。
【００１９】
端子カバー２を開ける動作としては、まず指掛かりである切り欠き２ａに指をかけ、端子カバー２を筐体カバー４から引きはがす方向に持ち上げる。こうすると端子カバー２の爪部２ｂを筐体カバー４の凹部４ｃから引きはがす。このとき、端子カバー2の円断面のヒンジ２ｅに凸状に形成されているリブ２ｆの径方向の外形寸法は筐体カバー４の円弧４ｂと抜け防止部材５の円弧５ａが形成する円の直径寸法より大きいように構成される。従って、弾性部材であるリブ２ｆに対して筐体カバー４の円弧４ｂと抜け防止部材５の円弧５ａから負荷がかかり摩擦力が生まれ、端子カバー２は筐体カバー4に対して保持される。従って、端子カバー２は筐体カバー４に対して任意の位置で保持される。
【００２０】
図１は、デジタルカメラ本体１にプラグ９が挿入された図である。図１に示す９は、コネクタ装置３と電気信号を他の電子機器へと伝送するプラグである。
【００２１】
端子カバー２が開状態では、端子カバー２の指掛かりである切り欠き２ａがプラグ9と干渉しない位置になるように構成されている。従って、指掛かりである切り欠き2aがプラグ9の逃げ構造となっている。従って、指掛かりの構成とプラグ逃げの構成を兼ね合わせることで端子カバー２の小型化に寄与している。
【００２２】
上記のように、端子カバー２は、筐体カバー４に対して保持されるので筐体カバー４に対して開状態では端子カバー２の位置をユーザが任意に固定することが可能となる。そのために、コネクタ装置３に端子カバー２が覆い被さらないのでプラグ９の抜き差しがやりやすい。
【００２３】
以上、本発明の好ましい実施形態について説明したが、本発明はこれらの実施形態に限定されず、その要旨の範囲内で種々の変形及び変更が可能である。
【符号の説明】
【００２４】
１  デジタルカメラ本体、２  端子カバー、３  コネクタ装置、４  筐体カバー、５  抜け防止部材、６  ビス、７  基板、８  シャッターユニット、９  プラグ、
【図１】
2015028871.tif 000003
【図２】
2015028871.tif 000004
【図３】
2015028871.tif 000005
【図４】
2015028871.tif 000006
【図５】
2015028871.tif 000007
【図６】
2015028871.tif 000008